(57)【要約】【課題】ケーブルを容易に着脱可能としながら、美観の低下を防止し得る日射遮蔽装置のケーブル接続装置を提供する。【解決手段】ヘッドボックス１の端部に接続した外部通信ケーブル１３を介してヘッドボックス１内のモーターを制御する日射遮蔽装置において、ヘッドボックス１の端部にコネクタボックス１１を設け、ヘッドボックス１の端部には、コネクタボックス１１に接続される外部通信ケーブル１３を覆う突き出しカバー２０を取着した。【選択図】図３
0003159296.tif 000002
【実用新案登録請求の範囲】
【請求項１】
ヘッドボックスの端部に接続した外部通信ケーブルを介して前記ヘッドボックス内のモーターを制御する日射遮蔽装置において、
前記ヘッドボックスの端部にコネクタボックスを設け、前記ヘッドボックスの端部には、前記コネクタボックスに接続される外部通信ケーブルを覆う突き出しカバーを取着したことを特徴とする日射遮蔽装置のケーブル接続装置。
【請求項２】
前記ヘッドボックスの端部を日射遮蔽装置の遮蔽材の端縁より内側に位置させ、前記突き出しカバーの端縁を前記遮蔽材の端縁の上方に位置させたことを特徴とする請求項１記載の日射遮蔽装置のケーブル接続装置。
【請求項３】
前記突き出しカバーを前記ヘッドボックスの外面に沿ってスライド可能とした溝形に形成し、前記突き出しカバーと前記コネクタボックスには、前記突き出しカバーの引き出し位置を規定する位置決め手段を設けたことを特徴とする請求項２記載の日射遮蔽装置のケーブル接続装置。
【請求項４】
前記位置決め手段は、
前記コネクタボックスの側縁に設けた係止突部と、
前記突き出しカバーに設けられ、前記係止突部に係合する係合孔と
を備えたことを特徴とする請求項３記載の日射遮蔽装置のケーブル接続装置。
【請求項５】
前記突き出しカバーには、前記係止突部を前記突き出しカバーの端縁から該突き出しカバーの内側面に案内する切り欠き部を設けたことを特徴とする請求項４記載の日射遮蔽装置のケーブル接続装置。
【考案の詳細な説明】
【技術分野】
【０００１】
この考案は、モーターで駆動される日射遮蔽装置のケーブル接続装置に関するものである。
【背景技術】
【０００２】
窓面に沿って連装される電動ブラインドでは、共通の操作スイッチあるいはコントローラーによりその動作を一括して制御可能としたものがある。このような電動ブラインドでは、ヘッドボックス内のモーターと制御部に電源ケーブルを介して電源が供給されるとともに、通信ケーブルを介して制御信号が供給される。
【０００３】
そして、ヘッドボックスの端部にはコネクタボックスが設けられ、そのコネクタボックスに電源ケーブル及び通信ケーブルの端部に設けられたコネクタが接続される。
特許文献１には、ヘッドボックスの一端にコネクタを介して通信ケーブルが接続される電動ブラインドが開示されている。
【先行技術文献】
【特許文献】
【０００４】
【特許文献１】特開２００８−１４４４３７
【考案の概要】
【考案が解決しようとする課題】
【０００５】
上記のような電動ブラインドでは、コネクタが設けられるヘッドボックスの端部は、その下方に吊下支持されるスラットの端部より内側に位置するように設けられて、窓枠等との間に所要のスペースが確保されている。そして、このスペースを利用して、コネクタの着脱作業を可能としている。
【０００６】
しかし、ヘッドボックスの端部と窓枠等との間に所要のスペースを確保したことにより、このスペースにコネクタ及びケーブルが露出されて、美観を低下させるという問題点がある。
【０００７】
また、ケーブルに弛みが生じていると、そのケーブルがスラットの端部に引っ掛かって、ケーブルあるいはスラットの破損を招くおそれがある。
この考案の目的は、ケーブルを容易に着脱可能としながら、美観の低下を防止し得る日射遮蔽装置のケーブル接続装置を提供することにある。
【課題を解決するための手段】
【０００８】
請求項１では、ヘッドボックスの端部に接続した外部通信ケーブルを介して前記ヘッドボックス内のモーターを制御する日射遮蔽装置において、前記ヘッドボックスの端部にコネクタボックスを設け、前記ヘッドボックスの端部には、前記コネクタボックスに接続される外部通信ケーブルを覆う突き出しカバーを取着した。
【０００９】
請求項２では、前記ヘッドボックスの端部を日射遮蔽装置の遮蔽材の端縁より内側に位置させ、前記突き出しカバーの端縁を前記遮蔽材の端縁の上方に位置させた。
請求項３では、前記突き出しカバーを前記ヘッドボックスの外面に沿ってスライド可能とした溝形に形成し、前記突き出しカバーと前記コネクタボックスには、前記突き出しカバーの引き出し位置を規定する位置決め手段を設けた。
【００１０】
請求項４では、前記位置決め手段は、前記コネクタボックスの側縁に設けた係止突部と、前記突き出しカバーに設けられ、前記係止突部に係合する係合孔とを備えた。
請求項５では、前記突き出しカバーには、前記係止突部を前記突き出しカバーの端縁から該突き出しカバーの内側面に案内する切り欠き部を設けた。
【考案の効果】
【００１１】
本考案によれば、ケーブルを容易に着脱可能としながら、美観の低下を防止し得る日射遮蔽装置のケーブル接続装置を提供することができる。
【図面の簡単な説明】
【００１２】
【図１】電動ブラインドを示す正面図である。
【図２】電動ブラインドを示す側面図である。
【図３】ケーブル接続装置を示す分解斜視図である。
【図４】突き出しカバーの動作を示す斜視図である。
【図５】突き出しカバーの動作を示す斜視図である。
【考案を実施するための形態】
【００１３】
以下、この考案を具体化した一実施形態を図面に従って説明する。図１及び図２に示す電動ブラインドは、ヘッドボックス１から複数本のラダーコード２を介して多数段のスラット３が吊下支持されている。ラダーコード２の下端にはボトムレール４が吊下支持されている。前記ラダーコード２の上端部は、前記ヘッドボックス１内においてラダーコード吊下装置５に支持されている。
【００１４】
前記スラット３の長手方向両端部には昇降テープ６が挿通されている。前記昇降テープ６の下端は前記ボトムレール４に接続されるとともに、その状端部は前記ヘッドボックス１内において昇降テープ巻取り装置７に巻着されている。
【００１５】
前記ラダーコード吊下装置５及び昇降テープ巻取り装置７には駆動軸８が挿通されている。前記駆動軸８の一方の端部はモーター９の出力軸に連結されている。従って、駆動軸８はモーター９の作動により正逆回転される。
【００１６】
そして、駆動軸８が回転されると、ラダーコード吊下装置５及びラダーコード２を介して各スラット３が回動される。また、駆動軸８が正転されると、昇降テープ巻取り装置７により昇降テープ６が巻き取られ、ボトムレール４が引き上げられてスラット３が引き上げられる。駆動軸８が逆転されると、昇降テープ巻取り装置７により昇降テープ６が巻戻され、ボトムレール４及びスラット３が下降する。
【００１７】
前記ヘッドボックス１内には前記モーター９の動作を制御するモーター制御部が配設され、制御配線（図示しない）で前記モーター９と接続されている。前記モーター制御部は前記ヘッドボックス１の一端部に設けられるコネクタボックス１１と内部通信ケーブル１２を介して接続される。そして、コネクタボックス１１に図３に示す外部通信ケーブル１３が接続される。
【００１８】
そして、操作スイッチあるいはコントローラーから送信された制御信号が外部通信ケーブル１３及び内部通信ケーブル１２を介して前記モーター制御部に供給される。
前記ヘッドボックス１は、前記スラット３の長さより若干短く形成されるとともに、前記コネクタボックス１１が取着される側のヘッドボックス１の端部は、その下方に吊下支持されるスラットの端部よりヘッドボックス１の長手方向において内側に位置するように設けられて、窓枠等との間に所要のスペースが確保されている。そして、このスペースを利用して、コネクタの着脱作業を可能としている。
【００１９】
前記ヘッドボックス１は、上方を開口した溝形に形成されるとともに、その上方開口部には板状のボックスカバー１４が取着される。前記ボックスカバー１４の上面には、図３に示すように、ヘッドボックス１の長手方向に２条の収容溝１５が形成され、その収容溝１５に前記外部通信ケーブル１３を１本ずつ収容可能となっている。
【００２０】
図３に示すように、前記コネクタボックス１１には４個のメス型コネクタ１６が上下に２個ずつ設けられ、そのメス型コネクタ１６に４本の外部通信ケーブル１３のオス型コネクタ１７が嵌着される。
【００２１】
そして、上部に接続される２本の外部通信ケーブル１３が前記収容溝１５に案内されて、前記ヘッドボックス１の他端側に連装される電動ブラインドのコネクタボックスに接続される。また、下部に接続される２本の外部通信ケーブル１３はヘッドボックス１の一端側に連装される電動ブラインドの収容溝を経て当該電動ブラインドのコネクタボックスに接続される。
【００２２】
前記コネクタボックス１１の下部から電源ケーブル１８が延設され、その電源ケーブル１８に取着されたコネクタ１９が電源供給配線に取着されたコネクタ（図示しない）に接続される。
【００２３】
前記ヘッドボックス１の一端部には、前記コネクタボックス１１に接続されるコネクタ及びケーブルを室内外の視界から遮る突き出しカバー２０が取着されている。その突き出しカバー２０は、ヘッドボックス１と同様に上方を開口した若干の弾性を有する溝形の形材で形成されるとともに、ヘッドボックス１を覆うように嵌合され、かつヘッドボックス１に対し同ヘッドボックス１の長手方向に摺動可能となっている。
【００２４】
前記コネクタボックス１１の上部両側縁には、ヘッドボックス１の前後方向に突出する係止突部２１が形成されている。
前記突き出しカバー２０の一端縁において、前記係止突部２１に対応する位置には、ほぼＶ字形の切り欠き部２２が形成されている。また、突き出しカバー２０の他端側には前記係止突部２１に係合可能とした係合孔２３が形成されている。
【００２５】
そして、突き出しカバー２０を前記係合孔２３側から前記ヘッドボックス１に嵌合し、図４に示すように、係合孔２３を係止突部２１に係合させると、突き出しカバー２０はヘッドボックス１の長手方向に容易には移動不能に保持される。
【００２６】
この状態では、図１に示すように、突き出しカバー２０の一端縁は前記スラット３の端縁の上方まで突出されているので、ヘッドボックス１の一端部で外部通信ケーブル１３及び電源ケーブル１８が突き出しカバー２０で覆われる。
【００２７】
また、突き出しカバー２０をヘッドボックス１に沿ってさらに押し込み、係止突部２１が切り欠き部２２に露出するまで押し込むと、図５に示すように、ヘッドボックス１の端部にコネクタボックス１１が露出されるとともに、外部通信ケーブル１３のオス型コネクタ１７をメス型コネクタ１６に容易に着脱可能となる。電源ケーブル１８のコネクタ１９の着脱も容易となる。
【００２８】
図５に示す状態から突き出しカバー２０を引き出す場合には、係止突部２１が切り欠き部２２の奥部に向かって移動しながら突き出しカバー２０の両側面を押し広げるので、係止突部２１が突き出しカバー２０の内側面に当接する状態まで容易に移動する。
【００２９】
そして、突き出しカバー２０をさらに引き出すと、やがて係止突部２１が係合孔２３に係合して、突き出しカバー２０のそれ以上の引き出しが阻止される。
上記のように構成された電動ブラインドのケーブル接続装置では、次に示す作用効果を得ることができる。
（１）突き出しカバー２０を引き出すと、ヘッドボックス１の一端部で外部通信ケーブル１３及び電源ケーブル１８の露出を防止して、美観を向上させることができる。
（２）突き出しカバー２０を引き出すと、ヘッドボックス１の一端側でスラット３の端縁の上方に突き出しカバー２０の端縁を位置させて、スラット３と外部通信ケーブル１３及び電源ケーブル１８との干渉を防止することができる。
（３）突き出しカバー２０を押し込むと、コネクタボックス１１を露出させて、外部通信ケーブル１３を容易に着脱することができる。
（４）突き出しカバー２０を引き出す場合には、切り欠き部２２で係止突部２１を案内しながら係止突部２１が突き出しカバー２０の内側面に当接する状態まで容易に移動させることができる。そして、係止突部２１で突き出しカバー２０の側面を外側に向かって若干撓ませながら、突き出しカバー２０を引き出すことができる。
（５）突き出しカバー２０の係合孔２３が係止突部２１に係合するまで突き出しカバー２０を引き出すことにより、突き出しカバー２０を常に所定位置まで容易に引き出すことができる。
【００３０】
上記実施形態は、以下の態様で実施してもよい。
・切り欠き部は、一方の辺を水平方向とし、他方の辺のみを上下方向に斜状としてもよい。
・上記ケーブル接続装置は、電動横型ブラインド以外に、電動縦型ブラインド、電動ロールスクリーン、電動プリーツスクリーンに使用することもできる。
【符号の説明】
【００３１】
１…ヘッドボックス、３…遮蔽材（スラット）、９…モーター、１１…コネクタボックス、１３…外部通信ケーブル、２０…突き出しカバー、２１…位置決め手段（係止突部）、２３…位置決め手段（係合孔）。
【図１】
0003159296.tif 000003
【図２】
0003159296.tif 000004
【図３】
0003159296.tif 000005
【図４】
0003159296.tif 000006
【図５】
0003159296.tif 000007